(57)【要約】【課題】映像表示部を使用するときの使用者の頭部の前後の重量バランスをとって映像表示部のずれを防止できるヘッドマウントディスプレイ装置を提供する。【解決手段】使用者Ｍの後頭部に装着されるリアアーム１０に作用するリアアーム１０の使用者Ｍの側頭部を押圧する位置を支点とするモーメントがリアアーム１０の一端部に支持されるフロントアーム２０に作用するリアアーム１０の使用者Ｍの側頭部を押圧する位置を支点とするモーメントとほぼ等しくなるように、使用者Ｍの一方の眼の前方に配置される映像表示部３０の移動に応じて移動するカウンタウエイト２１を配置した。【選択図】      図１
2004233886.tif 000002
【特許請求の範囲】
【請求項１】
後頭部に装着され、使用者の側頭部を押圧する押圧部を設けたリアアームと、
前記リアアームに支持されるフロントアームと、
このフロントアームに支持され、前記リアアームに対して移動可能な表示手段を備え、
前記リアアームに作用する前記リアアームの前記使用者の側頭部を押圧する位置を支点とするモーメントが前記フロントアームに作用する前記リアアームの前記使用者の側頭部を押圧する位置を支点とするモーメントとほぼ等しくなるように、前記表示手段の移動に応じて移動するバランス用ウエイト部材を設けたことを特徴とするヘッドマウントディスプレイ装置。
【請求項２】
前記バランス用ウエイト部材と前記表示手段とは常に基準点に対してほぼ点対称の位置にあることを特徴とする請求項１記載のヘッドマウントディスプレイ装置。
【請求項３】
前記リアアームに設けられ、前記フロントアームを収容する収容部を設け、前記フロントアームが前記収容部に収容されるとき又は前記収容部から引き出されたとき、前記表示手段の移動にしたがって前記バランスウエイト部材が前記表示手段と反対方向へ移動することを特徴とする請求項１記載のヘッドマウントディスプレイ装置。
【発明の詳細な説明】
【０００１】
【発明の属する技術分野】
この発明は頭部に装着して映像を見るヘッドマウントディスプレイ装置に関する。
【０００２】
【従来の技術】
従来のヘッドマウントディスプレイ装置として、使用者の後頭部に装着され、その両端部で側頭部を押圧する保持部の一端部に支持されるフロントアーム（アーム）と、このフロントアームに支持され、使用者の一方の眼の前方に配置される映像表示部（表示ユニット）とを備えるものが知られている。
【０００３】
このヘッドマウントディスプレイ装置を頭部に装着すれば、この装置を例えば携帯用のＶＴＲ（ビデオテープレコーダ）やＤＶＤ用のモニタとして利用することができる。
【０００４】
【特許文献】
特開平１０−１２３４５５号公報
【０００５】
【発明が解決しようとする課題】
ところで、使用者の眼の前に配置される映像表示部はできる限り揺れず、一定の位置にあるのが好ましい。
【０００６】
しかし、映像表示部は液晶パネル、蛍光管、集光レンズ、反射鏡、接眼レンズ等を備え、重いため、使用者の側頭部を押圧する位置を支点とするフロントアーム及び映像表示部に作用するモーメントが使用者の側頭部を押圧する位置を支点とする保持部に作用するモーメントより大きくなり、頭を動かしたときに映像表示部が下方へずれ易い。
【０００７】
この発明はこのような事情に鑑みてなされたもので、その課題はヘッドマウントディスプレイ装置を使用するときの前後の重量バランスをとって映像表示部のずれを防止することである。
【０００８】
【課題を解決するための手段】
上記課題を解決するため請求項１記載の発明は、後頭部に装着され、使用者の側頭部を押圧する押圧部を設けたリアアームと、前記リアアームに支持されるフロントアームと、このフロントアームに支持され、前記リアアームに対して移動可能な表示手段を備え、前記リアアームに作用する前記リアアームの前記使用者の側頭部を押圧する位置を支点とするモーメントが前記フロントアームに作用する前記リアアームの前記使用者の側頭部を押圧する位置を支点とするモーメントとほぼ等しくなるように、前記表示手段の移動に応じて移動するバランス用ウエイト部材を設けたことを特徴とする。
請求項２記載の発明は、請求項１記載のヘッドマウントディスプレイ装置において、前記バランス用ウエイト部材と前記表示手段とは常に基準点に対してほぼ点対称の位置にあることを特徴とする。
【０００９】
請求項３記載の発明は、請求項１記載のヘッドマウントディスプレイ装置において、前記リアアームに設けられ、前記フロントアームを収容する収容部を設け、前記フロントアームが前記収容部に収容されるとき又は前記収容部から引き出されたとき、前記表示手段の移動にしたがって前記バランスウエイト部材が前記表示手段と反対方向へ移動することを特徴とする。
【００１０】
【発明の実施の形態】
以下、この発明の実施の形態を図面に基づいて説明する。
【００１１】
図１はこの発明の第１実施形態に係るヘッドマウントディスプレイ装置の映像表示部が使用位置まで引き出されたときの断面を示す概念図であり、図２は映像表示部が収納位置にあるときの断面を示す概念図である。
【００１２】
このヘッドマウントディスプレイ装置はリアアーム１０とフロントアーム２０と映像表示部（表示手段）３０と収容部４０とを備えている。
【００１３】
リアアーム１０は円弧状である。リアアーム１０は使用者Ｍの後頭部に装着され、その両端部が使用者Ｍの側頭部を押圧する。
【００１４】
リアアーム１０の両端部には使用者Ｍの左右の耳に装着されるスピーカ部（押圧部）１５，１６が取り付けられている。
【００１５】
フロントアーム２０はリアアーム１０の一端部に支持される。フロントアーム２０はリアアーム１０と同様に円弧状であり、リアアーム１０とほぼ同じ長さである。フロントアーム２０はリアアーム１０に設けられた収容部４０に収容される。
【００１６】
映像表示部３０はフロントアーム２０の一端に支持され、使用者Ｍの一方の眼（図示せず）の前方に配置される。
【００１７】
フロントアーム２０の他端には映像表示部３０の移動に応じて一体的に移動するカウンタウエイト（バランス用ウエイト部材）２１が支持されている。
【００１８】
図１に示すように映像表示部３０が使用者Ｍの眼の前まで引き出されたとき（使用位置）、カウンタウエイト２１は使用者Ｍの後頭部のほぼ中央にあり、カウンタウエイト２１と映像表示部３０とは基準点Ｏに対してほぼ点対称の位置にある。
【００１９】
また、図２に示すようにリアアーム１０の収容部４０にフロントアーム２０が収容され、映像表示部３０が使用者Ｍの左耳の近傍にあるとき（収納位置）、カウンタウエイト２１は右耳の近傍にあり、カウンタウエイト２１と映像表示部３０とは基準点Ｏに対してほぼ点対称の位置にある。
【００２０】
更に、図示しないが、映像表示部３０が使用位置と収納位置との間にあるときも、カウンタウエイト２１と映像表示部３０とは基準点Ｏに対してほぼ点対称の位置にある。
【００２１】
すなわち、カウンタウエイト２１と映像表示部３０とは常に基準点Ｏに対してほぼ点対称の位置にあり、リアアーム１０に作用するリアアーム１０の使用者Ｍの側頭部を押圧する位置を支点とするモーメントがフロントアーム２０に作用するリアアーム１０の使用者Ｍの側頭部を押圧する位置を支点とするモーメントと常にほぼ等しくなる。
【００２２】
この第１実施形態によれば、ヘッドマウントディスプレイ装置を使用するときの前後の重量バランスをとって映像表示部３０のずれを防止できるとともに、映像表示部３０を収納位置としたときの左右の重量バランスをとることができる。
【００２３】
図３はこの発明の第２実施形態に係るヘッドマウントディスプレイ装置の映像表示部が使用位置まで引き出されたときの断面を示す概念図であり、図４は映像表示部が収納位置にあるときの断面を示す概念図であり、第１実施形態と共通する部分には同一符号を付してその説明を省略する。
【００２４】
このヘッドマウントディスプレイ装置はリアアーム１１０とフロントアーム１２０と映像表示部（表示手段）３０と収容部１４０とを備えている。
【００２５】
リアアーム１１０は円弧状である。リアアーム１１０は使用者Ｍの後頭部に装着され、その両端部が使用者Ｍの側頭部を押圧する。
【００２６】
リアアーム１１０の両端部には使用者Ｍの左右の耳に装着されるスピーカ部１１５，１１６が設けられている。
【００２７】
フロントアーム１２０の一端はリアアーム１１０の一端に支持される。フロントアーム１２０はリアアーム１１０と同様に円弧状であり、第１実施形態のリアアーム１０とほぼ同じ長さである。フロントアーム１２０はリアアーム１１０に設けられた収容部１４０に収容される。収容部１４０はほぼＵ字形の空間部である。
【００２８】
この空間部１４０にはフロントアーム１２０の他に、フロントアーム１２０の他端に接続される映像表示部３０の移動に応じて一体的に移動するカウンタウエイト（バランス用ウエイト部材）１２１と、ワイヤ５０が掛けられる滑車１４２と、カウンタウエイト１２１を左耳側へ引っ張るばね１２２とが収容されている。
【００２９】
ワイヤ５０はフロントアーム１２０の他端から第１のガイド部１４１に沿って延びた後、滑車１４２で向きを変えられ、滑車１４２から第２のガイド部１４３に沿って延び、カウンタウエイト１２１の一端に到る。
【００３０】
フロントアーム１２０の表面と収容部１４０の内表面との間に作用する摩擦力によっフロントアーム１２０の動きを調整される。
【００３１】
図３に示すように映像表示部３０が使用者Ｍの眼の前まで引き出されたとき（使用位置）、カウンタウエイト１２１は使用者Ｍの後頭部のほぼ中央にある。
【００３２】
このとき、リアアーム１１０に作用するリアアーム１１０の使用者Ｍの側頭部を押圧する位置を支点とするモーメントがフロントアーム１２０に作用するリアアーム１１０の使用者Ｍの側頭部を押圧する位置を支点とするモーメントとほぼ等しくなる。
【００３３】
映像表示部３０が使用位置からフロントアーム１２０を収納部に押し込むと、バランスウエイト１２１はばね１２２によって引っ張られて映像表示部３０と反対方向へ移動する。
【００３４】
図４に示すようにフロントアーム１２０が収納部１４０に収容されたとき、映像表示部３０とバランスウエイト１２１とは共に使用者Ｍの左耳の近傍に位置する。
【００３５】
この実施形態によれば、ヘッドマウントディスプレイ装置を使用するときの前後の重量バランスをとって映像表示部のずれを防止できる。
【００３６】
なお、カウンタウエイト２１は重量物に限るものではなく、例えばヘッドマウントディスプレイ装置に必要なバッテリを用いてもよい。
【００３７】
【発明の効果】
以上に説明したようにこの発明のヘッドマウントディスプレイ装置によれば、ヘッドマウントディスプレイ装置を使用するときの前後の重量バランスをとって映像表示部のずれを防止できる。
【図面の簡単な説明】
【図１】図１はこの発明の第１実施形態に係るヘッドマウントディスプレイ装置の映像表示部が使用位置まで引き出されたときの断面を示す概念図である。
【図２】図２はこの発明の第１実施形態に係るヘッドマウントディスプレイ装置の映像表示部が収納位置にあるときの断面を示す概念図である。
【図３】図３はこの発明の第２実施形態に係るヘッドマウントディスプレイ装置の映像表示部が使用位置まで引き出されたときの断面を示す概念図である。
【図４】図４はこの発明の第２実施形態に係るヘッドマウントディスプレイ装置の映像表示部が収納位置にあるときの断面を示す概念図である。
【符号の説明】
１０，１１０  リアアーム
１５，１６  スピーカ部（押圧部）
２０，１２０  フロントアーム
３０  映像表示部（表示手段）
４０，１４０  収容部
２１，１２１  カウンタウエイト（バランス用ウエイト部材）
Ｏ  基準点
Ｍ  使用者
【図１】
2004233886.tif 000003
【図２】
2004233886.tif 000004
【図３】
2004233886.tif 000005
【図４】
2004233886.tif 000006